(57)【要約】【課題】表示部を内側又は外側に向けて各筐体を折り畳んだ場合でも表示部及び操作部の損傷を防止することのできる折り畳み式携帯電話機を提供する。【解決手段】回動軸４１の中心線Ｘを開閉軸４２の中心線Ｙに対し変位させた折り畳み式携帯電話機１００は、開閉軸４２を中心として表示部側筐体１及び操作部側筐体２を、表示部１１と操作部２１とが向き合わされて折り畳んだ第一の折り畳み状態で、凸部２３が表示部側筐体１の表示部側の面１aに接触して表示部１１と操作部２１との間に第一の空間Ｓ１が形成される。表示部側筐体１を回動軸４１を中心に回動させて、開閉軸４２を中心に表示部側筐体１及び操作部側筐体２を、表示部側筐体１の表示部１１と反対側の面が操作部２１に向き合わされて折り畳んだ第二の折り畳み状態では、表示部側筐体１の表示部１１と反対側の面１bと操作部２１との間には、第一の空間Ｓ１よりも大きくなる第二の空間Ｓ２が形成される。【選択図】図３
2008281067.tif 000002
【特許請求の範囲】
【請求項１】
表示部を有する表示部側筐体と操作部を有する操作部側筐体とを互いに開閉動作させる際に中心となる開閉軸と、前記表示部側筐体と前記操作部側筐体とを開いた状態で前記表示部側筐体を前記操作部側筐体に対し回動動作させる際に中心となる回動軸とを備え、
前記回動軸の中心線を、前記開閉軸の中心線に対し変位させた折り畳み式電子機器において、
前記操作部側筐体の操作部側の面に凸部が設けられ、
前記開閉軸を中心として前記表示部側筐体及び前記操作部側筐体を、前記表示部と前記操作部とが向き合わされて折り畳んだ第一の折り畳み状態で、前記凸部が前記表示部側筐体の表示部側の面に接触して前記表示部と前記操作部との間に第一の空間が形成され、
前記表示部側筐体を前記回動軸を中心として回動させて、前記開閉軸を中心として前記表示部側筐体及び前記操作部側筐体を、前記表示部側筐体の前記表示部と反対側の面が前記操作部に向き合わされて折り畳んだ第二の折り畳み状態では、前記表示部側筐体の前記表示部と反対側の面と前記操作部との間には、前記第一の空間よりも大きくなる第二の空間が形成されることを特徴とする折り畳み式電子機器。
【請求項２】
前記表示部側筐体の前記表示部側の面であって、前記第一の折り畳み状態で前記凸部と対応する位置に凹部が形成され、
前記凸部は、前記第二の折り畳み状態で前記表示部側筐体の前記表示部と反対側の面に接触し、
前記第一の折り畳み状態では、前記表示部側筐体の前記表示部側の面の前記凹部内に接触することを特徴とする請求項１に記載の折り畳み式電子機器。
【請求項３】
前記凸部は、前記表示部側筐体の前記表示部側の面又は前記表示部と反対側の面に接触した際に、収縮自在な材料からなることを特徴とする請求項１又は２に記載の折り畳み式電子機器。
【発明の詳細な説明】
【技術分野】
【０００１】
本発明は、表示部側筐体と操作部側筐体とを、表示部を内側にしても外側にしても折り畳める二軸ヒンジを介して連結した折り畳み式電子機器に関する。
【背景技術】
【０００２】
折り畳み式の電子機器、特に携帯電話機において表示部を表にしても裏にしても折り畳めるようにした二軸ヒンジ構造のものがある。このような二軸ヒンジ構造は、表示部を有する表示部側筐体と操作部を有する操作部側筐体とを開閉する際に中心となる開閉軸と、表示部側筐体と操作部側筐体とを開いた状態で表示部側筐体を操作部側筐体に対し回動する際に中心となる回動軸とを備え、これら開閉軸と回動軸の中心線が互いに直交する構造である。
二軸ヒンジ構造として、表示部を有する第１の筐体と操作部を有する第２の筐体とを互いに重ねた状態において、第２の筐体と回動軸の中心線との間に開閉軸の中心線が位置するように回動軸の中心線を開閉軸の中心線に対して変位させた技術が知られている（例えば、特許文献１参照）。このように回動軸の中心線を開閉軸の中心線に対して変位させることで、第１の筐体と第２の筐体とを互いに重ねた状態において、相対的に第１の筐体の表裏面の厚さを、第二の筐体の厚さに比して薄く見せるようにしている。
【特許文献１】特開２００５−２９５２１３号公報
【発明の開示】
【発明が解決しようとする課題】
【０００３】
ところで、上述のような二軸ヒンジ構造を有する折り畳み式電子機器において、表示部と操作部とが互いに向き合うように表示部を内側に向けて折り畳んだ際に、操作部側筐体の内面に設けられたキーボタンと表示部とが接触することで画面が傷ついたり、あるいは、表示部と操作部とが互いに向き合わないように表示部を外側に向けて折り畳んだ際に、表示部側筐体の外面に設けられるカメラレンズや装飾の凸部と、キーボタンとが接触することでキーボタンが傷つかないように考慮することが望まれている。
本発明は、上記事情に鑑みてなされたもので、表示部を内側又は外側に向けて各筐体を折り畳んだ場合でも表示部及び操作部の損傷を防止することのできる折り畳み式携帯電話機を提供することを目的としている。
【課題を解決するための手段】
【０００４】
上記課題を解決するため、請求項１の発明は、表示部を有する表示部側筐体と操作部を有する操作部側筐体とを互いに開閉動作させる際に中心となる開閉軸と、前記表示部側筐体と前記操作部側筐体とを開いた状態で前記表示部側筐体を前記操作部側筐体に対し回動動作させる際に中心となる回動軸とを備え、
前記回動軸の中心線を、前記開閉軸の中心線に対し変位させた折り畳み式電子機器において、
前記操作部側筐体の操作部側の面に凸部が設けられ、
前記開閉軸を中心として前記表示部側筐体及び前記操作部側筐体を、前記表示部と前記操作部とが向き合わされて折り畳んだ第一の折り畳み状態で、前記凸部が前記表示部側筐体の表示部側の面に接触して前記表示部と前記操作部との間に第一の空間が形成され、
前記表示部側筐体を前記回動軸を中心として回動させて、前記開閉軸を中心として前記表示部側筐体及び前記操作部側筐体を、前記表示部側筐体の前記表示部と反対側の面が前記操作部に向き合わされて折り畳んだ第二の折り畳み状態では、前記表示部側筐体の前記表示部と反対側の面と前記操作部との間には、前記第一の空間よりも大きくなる第二の空間が形成されることを特徴とする。
【０００５】
請求項２の発明は、請求項１に記載の折り畳み式電子機器において、
前記表示部側筐体の前記表示部側の面であって、前記第一の折り畳み状態で前記凸部と対応する位置に凹部が形成され、
前記凸部は、前記第二の折り畳み状態で前記表示部側筐体の前記表示部と反対側の面に接触し、
前記第一の折り畳み状態では、前記表示部側筐体の前記表示部側の面の前記凹部内に接触することを特徴とする。
【０００６】
請求項３の発明は、請求項１又は２に記載の折り畳み式電子機器において、
前記凸部は、前記表示部側筐体の前記表示部側の面又は前記表示部と反対側の面に接触した際に、収縮自在な材料からなることを特徴とする。
【発明の効果】
【０００７】
本発明によれば、表示部を内側又は外側に向けて各筐体を折り畳んだ場合でも表示部及び操作部の損傷を防止することができる。
【発明を実施するための最良の形態】
【０００８】
以下、本発明の実施の形態について図面を参照しながら説明する。なお、本発明を適用した折り畳み式電子機器として、折り畳み式携帯電話機を例に挙げて説明する。
[第一の実施の形態]
図１(a)は、折り畳み式携帯電話機１００の開閉軸４２を開閉させた状態の斜視図、図１(b)は、折り畳み式携帯電話機１００の回動軸４１を回動させた状態の斜視図、図２(a)は、開閉軸４２を中心として表示部側筐体１及び操作部側筐体２を、表示部１１と操作部２１とが向き合わされて折り畳んだ状態（以下、第一の折り畳み状態と言う）における折り畳み式携帯電話機１００の斜視図、図２(b)は、表示部側筐体１を回動軸４１を中心として回動させて、開閉軸４２を中心として表示部側筐体１及び操作部側筐体２を、表示部１１と反対側の面１bが操作部２１に向き合わされて折り畳んだ状態（以下、第二の折り畳み状態と言う）における折り畳み式携帯電話機１００の斜視図である。
折り畳み式携帯電話機１００は、液晶ディスプレイ１１１等の表示部１１が設けられた表示部側筐体１と、操作キー群２１１等の操作部２１が設けられた操作部側筐体２とがヒンジ部３によって開閉可能に連結されている。
【０００９】
操作部側筐体２の操作部側の面（表示部側筐体１との対向面）２aには、凸部２２１，２２２がヒンジ部３側の端部に左右にそれぞれ設けられている。さらに、操作部側筐体２の操作部側の面２aには、凸部２３がヒンジ部３と反対側の端部に直線状に設けられている。凸部２２１，２２２及び凸部２３は、第一の折り畳み状態で、表示部側筐体１の表示部側の面（操作部側筐体２との対向面）１aの外周縁部に接触する高さに設定されている。
【００１０】
操作部側筐体２の内部には、操作キー群２１１、図示しないが、折り畳み式携帯電話機１００全体を制御するメインプロセッサ等が設けられた回路基板を支持する中ケース、マイク、電池パック、カメラユニット、メインアンテナ等が収容されている。
操作部側筐体２の操作部側の面２aには、内部に収容した操作キー群２１１の周囲を囲む平面視略矩形状の開口部が形成され、開口部から操作キー群２１１が突出している。
【００１１】
表示部側筐体１の一端部には、ヒンジケース３１が設けられている。表示部側筐体１の表示部側の面１aには、凸部１２が外周縁部に沿って矩形枠状に設けられている。凸部１２は、第一の折り畳み状態で、操作部側筐体２の操作部側の面２aの外周縁部に接触する高さに設定されている。
【００１２】
表示部側筐体１の内部には、液晶ディスプレイ１１１や、図示しないが、表示部側基板等を支持する中ケース、レシーバ（通話用スピーカ）、着信ランプ部等が収容されている。
また、中ケースには、表示部側筐体１と操作部側筐体２とを開いた状態で表示部側筐体１を操作部側筐体２に対して回動動作させる際に中心となる回動軸４１が固定されており、回動軸４１の下端部には、回動軸４１と垂直となるように、操作部側筐体２に対して開閉動作させる際に中心となる左右に延在する開閉軸４２に連結されている。また、開閉軸４２には、ヒンジケース３１と操作部側筐体２とを連結する一対の連結部４３，４３が左右に設けられている。
【００１３】
図３(a)は、切断線III(a)−III(a)に沿って切断した際の矢視断面図、図３(b)は、切断線III(b)−III(b)に沿って切断した際の矢視断面図、図４(a)は、切断線IV(a)−IV(a)に沿って切断した際の回動軸４１の中心線Ｘと開閉軸４２の中心線Ｙとを示した図、図４(b)は、切断線IV(b)−IV(b)に沿って切断した際の回動軸４１の中心線Ｘと開閉軸４２の中心線Ｙとを示した図である。
図３及び図４に示すように、表示部側筐体１及び操作部側筐体２を折り畳んだ状態で、操作部側筐体２と回動軸４１の中心線Ｘとの間に開閉軸４２の中心線Ｙが位置するように、回動軸４１はその中心線Ｘが、開閉軸４２の中心線Ｙに対して上側に変位している（図３及び図４に符号Ｚで変位量を示した）。そのため、表示部側筐体１において、表示部側の面１aと回動軸４１の中心線Ｘまでの厚みは、表示部１１と反対側の面１bと回動軸４１の中心線Ｘまでの厚みよりも厚くなっている。
したがって、第一の折り畳み状態では、凸部２３が表示部側筐体１の表示部側の面１aの外周縁部に接触し、表示部１１と操作部２１との間に第一の空間Ｓ１が形成される。また、このとき、表示部側筐体１の表示部１１と反対側の面１bとヒンジケース３１の上面３１bとが略同じ高さに位置している（図３(a)，図４(a)参照）。
一方、第二の折り畳み状態では、表示部側筐体１の表示部１１と反対側の面１bと操作部２１との間に、第一の折り畳み状態における第一の空間Ｓ１よりも大きな第二の空間Ｓ２が形成される。このとき、凸部２３は表示部側筐体１の表示部１１と反対側の面１bには接触しておらず、また、表示部側筐体１の表示部側の面１aがヒンジケース３１の上面３１bよりも上方に位置している（図３(b)，図４(b)参照）。
【００１４】
なお、回動軸４１及び開閉軸４２は、ヒンジケース３１に覆われて外側から見えないようになっている。そして、回動軸４１、開閉軸４２及びヒンジケース３１によってヒンジ部３が構成されている。
【００１５】
以上、本発明の第一の実施の形態によれば、第一の折り畳み状態で、凸部２３が表示部側筐体１の表示部側の面１aに接触して表示部１１と操作部２１との間に第一の空間Ｓ１が形成されるので、表示部１１と操作部２１とが互いに接触することがなく、表示部１１への傷を防止できる。
また、第二の折り畳み状態では、表示部側筐体１の表示部１１と反対側の面１bと操作部２１との間には、第一の空間Ｓ１よりも大きくなる第二の空間Ｓ２が形成されるので、表示部１１と反対側の面１bと操作部２１とが互いに接触することがなく、操作部２１への傷を防止できる。
【００１６】
［第二の実施の形態］
図５(a)は、第一の折り畳み状態における折り畳み式携帯電話機１００Ａの斜視図、図５(b)は、第二の折り畳み状態における折り畳み式携帯電話機１００Ａの斜視図、図６(a)は、切断線VI(a)−VI(a)に沿って切断した際の矢視断面図、図６(b)は、切断線VI(b)−VI(b)に沿って切断した際の矢視断面図である。
第二の実施の形態の折り畳み式携帯電話機１００Ａは、第一の実施の形態の折り畳み式携帯電話機１００と異なり、表示部側筐体１Ａの表示部側の面１aであって、ヒンジ部３Ａと反対側の端部に、操作部側筐体２Ａに設けられた凸部２３Ａに対応する位置に凹部１３Ａが形成されている。そして、凸部２３Ａは、第二の折り畳み状態で表示部側筐体１Ａの表示部１１と反対側の面１bＡに接触し（図６(b)参照）、第一の折り畳み状態では、レシーバ用の孔１４Ａを除く凹部１３Ａの底に凸部２３Ａの頭部が接触するようになっている（図６(a)参照）。凹部１３Ａは、第二の折り畳み状態において、凸部２３Ａが表示部側筐体１Ａの表示部１１Ａと反対側の面１bＡに接触する分（第一の実施の形態のように凸部２３が表示部１１と反対側の面１bに接触しない状態から、第二の実施の形態のように表示部１１Ａと反対側の面１bＡに接触するように凸部２３Ａの増した高さ分）の深さに設定されている。
【００１７】
また、表示部側筐体１Ａの表示部１１と反対側の面１bＡにはサブパネルディスプレイ１５Ａが突出して設けられ、さらに、前記反対側の面１bＡでヒンジ部３Ａ側の端部にも凸部１６Ａが突出して形成されている。
【００１８】
図６に示すように、表示部側筐体１Ａ及び操作部側筐体２Ａを折り畳んだ状態で、操作部側筐体２Ａと回動軸４１Ａの中心線Ｍとの間に開閉軸４２Ａの中心線Ｎが位置するように、回動軸４１Ａはその中心線Ｍが、開閉軸４１Ａの中心線Ｎに対して上側に変位している（図６に符号Ｌで変位量を示した）。そのため、表示部側筐体１Ａにおいて、表示部側の面１aＡと回動軸４１Ａの中心線Ｍまでの厚みは、表示部１１と反対側の面１bＡと回動軸４１Ａの中心線Ｍまでの厚みよりも厚くなっている。
したがって、第一の折り畳み状態では、凸部２３Ａの頭部が表示部側筐体１Ａの凹部１３Ａの底に接触し、表示部側筐体１Ａの凸部１２Ａが操作部側筐体２Ａの面２aＡに接触し、表示部１１Ａと操作部２１Ａとの間に第一の空間Ｓ３が形成される（図６(a)参照）。
一方、第二の折り畳み状態では、凸部２３Ａが表示部側筐体１Ａの表示部１１Ａと反対側の面１bＡに接触し、表示部側筐体１Ａのサブディスプレイパネル１５Ａ及び凸部１６Ａと、操作部２１Ａとの間に、第一の折り畳み状態における第一の空間Ｓ３よりも大きな第二の空間Ｓ４が形成される（図６(b)参照）。
【００１９】
その他、第一の実施の形態と同様の構成部分については、同様の数字に英字Ａを付してその説明を省略する。
以上、本発明の第二の実施の形態によれば、第一の折り畳み状態で、凸部２３Ａが表示部側筐体１Ａの表示部側の面１aＡ（具体的には、凹部１３Ａ）に接触して表示部１１Ａと操作部２１Ａとの間に第一の空間Ｓ３が形成されるので、表示部１１Ａと操作部２１Ａとが互いに接触することがなく、表示部１１Ａへの傷を防止できる。さらに、凸部２３Ａが凹部１３Ａに接触することによって、第一の折り畳み状態におけるがたつきを確実に防止できる。また、表示部側筐体１Ａが浮いたりすることなく、略水平となるように折り畳むことができる。
また、第二の折り畳み状態では、表示部側筐体１Ａの表示部１１Ａと反対側の面１bＡと操作部２１Ａとの間には、第一の空間Ｓ３よりも大きくなる第二の空間Ｓ４が形成されるので、表示部１１Ａと反対側の面１bＡと、操作部２１Ａとが互いに接触することがなく、操作部２１Ａへの傷を防止できる。また、このとき凸部２３Ａが表示部１１Ａと反対側の面１bＡに接触するので、第二の折り畳み状態におけるがたつきも確実に防止できるとともに、略水平となるように折り畳むことができる。
【００２０】
［第三の実施の形態］
図７(a)は、凸部２３Ｂが押圧されずに表示部側筐体１Ｂが開いている状態を示しており、図７(b)は、図７(a)の状態から凸部２３Ｂが押圧されて第二の折り畳み状態とされた場合の折り畳み式携帯電話機１００Ｂを示している。
第三の実施の形態の折り畳み式携帯電話機１００Ｂは、第二の実施の形態の折り畳み式携帯電話機１００Ａにおいて表示部側筐体１Ａに凸部２３Ａの頭部が接触する凹部１３Ａを形成する代わりに、第一の折り畳み状態（図示しない）でも、第二の折り畳み状態（図７(b)参照）でも、凸部２３Ｂが表示部側筐体１Ｂに接触することで第一の空間（図示しない）及び第二の空間Ｓ５が形成されるように収縮自在な材料、例えば硬度の低いエラストマーやシリコンゴム等から形成されている。すなわち、凸部２３Ｂは、第二の折り畳み状態で、表示部側筐体１Ｂの表示部１１Ｂと反対側の面１bＢに接触する分（第一の実施の形態のように凸部２３が表示部１と反対側の面１bに接触しない状態から、第三の実施の形態のように表示部１１Ｂと反対側の面１bＢに接触するように凸部２３Ｂの増した高さ分）の寸法を吸収できる材料によって形成されている。
なお、その他は第二の実施の形態と同様の構成のため、第二の実施の形態と同様の構成部分については、同様の数字に英字Ｂを付してその説明を省略する。
【００２１】
以上、本発明の第三の実施の形態によれば、第一の折り畳み状態で、凸部２３Ｂが表示部側筐体１Ｂの表示部側の面１aＢに接触して表示部１１Ｂと操作部２１Ｂとの間に第一の空間（図示しない）が形成されるので、表示部１１Ｂと操作部２１Ｂとが互いに接触することがなく、表示部１１Ｂへの傷を防止できる。
また、第二の折り畳み状態では、表示部１１Ｂと反対側の面１bＢと操作部２１Ｂとの間には、第一の折り畳み状態における第一の空間よりも大きくなる第二の空間Ｓ５が形成されるので、表示部１１Ｂと操作部２１Ｂとが互いに接触することがなく、操作部２１Ｂへの傷を防止できる。
また、凸部２３Ｂが収縮材料によって形成されているので、第二の実施の形態のように凹部１３Ａを形成することなく、凸部２３Ｂの材質を変えるだけで、折り畳んだ際のがたつきを確実かつ容易に防止することができる。また、表示部側筐体１Ｂが浮いたりすることなく、略水平となるように折り畳むことができる。
【００２２】
なお、本発明は上記実施の形態に限定されるものではなく、その要旨を逸脱しない範囲で適宜変更可能である。
また、上記第一〜第三の実施の形態では本発明を折り畳み式携帯電話機１００，１００Ａ，１００Ｂに適用したが、携帯電話機に限らず、ＰＨＳ、トランシーバ、ＰＤＡ、携帯用パーソナルコンピュータ等の他の電子機器にも適用可能である。
さらに、第一及び第二の実施の形態における凸部２３，２３Ａも第三の実施の形態の凸部２３Ｂと同様の収縮材料によって形成しても構わない。
【図面の簡単な説明】
【００２３】
【図１】(a)は、折り畳み式携帯電話機１００の開閉軸４２を開閉させた状態の斜視図、(b)は、折り畳み式携帯電話機１００の回動軸４１を回動させた状態の斜視図である。
【図２】(a)は、第一の折り畳み状態における折り畳み式携帯電話機１００の斜視図、(b)は、第二の折り畳み状態における折り畳み式携帯電話機１００の斜視図である。
【図３】(a)は、切断線III(a)−III(a)に沿って切断した際の矢視断面図、図３(b)は、切断線III(b)−III(b)に沿って切断した際の矢視断面図である。
【図４】(a)は、切断線IV(a)−IV(a)に沿って切断した際の回動軸４１の中心線Ｘと開閉軸４２の中心線Ｙとを示した図、(b)は、切断線IV(b)−IV(b)に沿って切断した際の回動軸４１の中心線Ｘと開閉軸４２の中心線Ｙとを示した図である。
【図５】(a)は、第一の折り畳み状態における折り畳み式携帯電話機１００Ａの斜視図、(b)は、第二の折り畳み状態における折り畳み式携帯電話機１００Ａの斜視図である。
【図６】(a)は、切断線VI(a)−VI(a)に沿って切断した際の矢視断面図、図６(b)は、切断線VI(b)−VI(b)に沿って切断した際の矢視断面図である。
【図７】(a)は、凸部２３Ｂが押圧されずに表示部側筐体１Ｂが開いている状態を示しており、(b)は、(a)の状態から凸部２３Ｂが押圧されて第二の折り畳み状態とされた場合の折り畳み式携帯電話機１００Ｂを示している。
【符号の説明】
【００２４】
１，１Ａ，１Ｂ  表示部側筐体
１a，１aＡ，１aＢ  表示部側筐体の表示部側の面
１b，１bＡ，１bＢ  表示部側筐体の表示部と反対側の面
２，２Ａ，２Ｂ  操作部側筐体
２a，２aＡ，２aＢ  操作部側筐体の操作部側の面
１１，１１Ａ，１１Ｂ  表示部
１３Ａ  凹部
２１，２１Ａ，２１Ｂ  操作部
２３，２３Ａ，２３Ｂ，２２１，２２２  凸部
４１，４１Ａ，４１Ｂ  回動軸
４２，４２Ａ，４２Ｂ  開閉軸
１００，１００Ａ，１００Ｂ  折り畳み式携帯電話機
Ｓ１，Ｓ３  第一の空間
Ｓ２，Ｓ４，Ｓ５  第二の空間
Ｘ，Ｙ，Ｍ，Ｎ  中心線 
【図１】
2008281067.tif 000003
【図２】
2008281067.tif 000004
【図３】
2008281067.tif 000005
【図４】
2008281067.tif 000006
【図５】
2008281067.tif 000007
【図６】
2008281067.tif 000008
【図７】
2008281067.tif 000009